(57)【要約】【課題】ユニット台への結露防止を図る。【解決手段】断熱箱からなる冷蔵庫本体１０の天井壁１０Ａには開口部１８が形成され、冷凍ユニット３７を搭載した断熱性のユニット台２０が、パッキン２５を介して開口部１８を塞ぐように装着されるとともに、ユニット台２０の下面側に配された冷却器３５が冷却器室２９に収容され、冷凍ユニット３７と冷媒配管で循環接続される。冷凍ユニット３７を構成する圧縮機３１の吐出管４０が長く取られ、この吐出管４０が、ユニット台２０の上面の周縁部の全周に沿って配管され、アルミニウム製のテープ４２で押さえて固定される。冷凍ユニット３７が駆動されると、圧縮機３１の吐出管４０に高温高圧のガス冷媒が流通し、これと熱交換されてユニット台２０の周縁部が加熱される。その結果、ユニット台２０に結露することが防止される。【選択図】  図１
2005030634.tif 000002
【特許請求の範囲】
【請求項１】
断熱箱からなる貯蔵庫本体には開口部が形成され、冷凍ユニットを搭載した断熱性のユニット台が前記開口部を塞ぐように装着されるとともに、前記ユニット台の内面側には前記冷凍ユニットとの間で冷凍回路を構成する冷却器が配されたものにおいて、
前記冷凍ユニットの一部を構成する圧縮機の吐出側管路が、前記ユニット台の外面に沿って配管されていることを特徴とする冷却貯蔵庫。
【請求項２】
前記圧縮機の吐出側管路が、前記ユニット台の周縁部のほぼ全周にわたって配管されていることを特徴とする請求項１記載の冷却貯蔵庫。
【発明の詳細な説明】
【０００１】
【発明の属する技術分野】
本発明は、結露防止対策を講じた冷却貯蔵庫に関する。
【０００２】
【従来の技術】
従来業務用の冷蔵庫の一例として、図５に示すものが知られている。これは、断熱箱からなる冷蔵庫本体１の天井部に、ダクトが張られることで冷却器室２が画成されるとともに、冷却器室２の天井壁に開口部３が形成されている。一方断熱性のユニット台４の上面には圧縮機５Ａ，凝縮器５Ｂ等からなる冷凍ユニット５が、下面には冷却器６がそれぞれ取り付けられて冷媒配管で循環接続されており、このユニット台４が開口部３を塞いで載置され、併せて冷却器６が冷却器室２内に収容された構造となっている。
そして、冷凍ユニット５と庫内ファン７とが駆動されると、同図の矢線に示すように、庫内空気が冷却器室２内に吸引されて冷却器６と熱交換されることで冷気が生成され、その冷気が庫内に吹き出されて循環供給されることで、庫内が冷却されるようになっている。
なお、この種の冷蔵庫は、例えば特許文献１に記載されている。
【０００３】
【特許文献１】
特許第３４０１２１１号公報
【０００４】
【発明が解決しようとする課題】
ところで上記したユニット台４は、開口部３との間にパッキン８を介して載置されているため、冷気洩れが防がれることと併せて、庫内と断熱が取られてはいるが、それでもユニット台４を構成する外殻体にはどうしても冷熱が伝わり、特に高湿度時には、ユニット台４の周面等に結露が生じるおそれがあった。
なおこの従来例のように、凝縮器５Ｂが空冷式の場合は、凝縮器５Ｂ等を冷却した後の排熱の一部がユニット台４に吹き付けられるため、ユニット台４の冷却が抑制されて、上記のように結露が発生するのは高湿度のときに限られるかも知れないが、凝縮器が水冷式の場合は、排熱が当てられることもなくてユニット台４の冷却の抑制が期待できないため、湿度の高低に拘わらず結露しやすいという問題があった。
本発明は上記のような事情に基づいて完成されたものであって、その目的は、ユニット台への結露防止を図るところにある。
【０００５】
【課題を解決するための手段】
上記の目的を達成するための手段として、請求項１の発明は、断熱箱からなる貯蔵庫本体には開口部が形成され、冷凍ユニットを搭載した断熱性のユニット台が前記開口部を塞ぐように装着されるとともに、前記ユニット台の内面側には前記冷凍ユニットとの間で冷凍回路を構成する冷却器が配されたものにおいて、前記冷凍ユニットの一部を構成する圧縮機の吐出側管路が、前記ユニット台の外面に沿って配管されているところに特徴を有する。
請求項２の発明は、請求項１に記載のものにおいて、前記圧縮機の吐出側管路が、前記ユニット台の周縁部のほぼ全周にわたって配管されているところに特徴を有する。
【０００６】
【発明の作用及び効果】
＜請求項１の発明＞
冷凍回路が駆動されると、圧縮機の吐出側管路には高温高圧のガス冷媒が流通し、熱交換されてユニット台の外面が加熱される。その結果、ユニット台の外面に結露することが防止される。また、凝縮器に向かう前にガス冷媒が温度低下されることから、凝縮工程での負荷が低減され、省エネルギに寄与することができる。
＜請求項２の発明＞
ユニット台はその周縁部に庫内の冷熱が最も伝わりやすく、したがって結露する可能性が高いが、その周縁部を重点的に加熱するようにしたから、結露防止を効率良く行うことができる。
【０００７】
【発明の実施の形態】
以下、本発明の一実施形態を図１ないし図４に基づいて説明する。この実施形態では、業務用の冷蔵庫を例示している。
図１において、符号１０は前面の開口された断熱箱体からなる冷蔵庫本体であって、底部に設けられた脚１１で支持されている。冷蔵庫本体１０の内部は冷蔵室１２とされ、貯蔵物が複数段に設けられた棚網１３に載せられて収容されるようになっており、冷蔵室１２の前面開口には、上下２段に分かれて断熱扉１４が揺動開閉可能に装着されている。
【０００８】
冷蔵庫本体１０の上面には、回りにパネル１６が立てられることで機械室１７が構成されている。
機械室１７の底面となる冷蔵庫本体１０の天井壁１０Ａには、少し奥側に寄った位置に方形をなす開口部１８が形成されており、この開口部１８の上面を塞ぐようにして、後記する冷凍ユニット３７を搭載したユニット台２０が載置されるようになっている。
このユニット台２０は断熱性であって、図４に示すように、ステンレス鋼板製の外装板２１と合成樹脂製の内装板２２とが上下に組み付けられ、両板２１，２２の間に発泡ウレタン樹脂等の発泡合成樹脂からなる断熱材２３が充填されて形成されている。ユニット台２０の下面の周縁部には、パッキン２５が装着される装着凹部２６が全周にわたって形成されている。
また、開口部１８の前方側（図１の左側）における下面の口縁の位置から、奥壁に向かって、冷却ダクトを兼ねたドレンパン２８が下り勾配で張設されており、ユニット台２０との間に冷却器室２９が形成されている。
【０００９】
本実施形態の冷凍回路３０は、図３に示すように、圧縮機３１、凝縮器３２、ドライヤ３３、キャピラリチューブ３４及び冷却器３５を冷媒配管３６により循環接続したものであって、このうち、圧縮機３１、凝縮器３２、ドライヤ３３及びキャピラリチューブ３４が、冷凍ユニット３７としてユニット台２０の上面に搭載され、一方、冷却器３５がユニット台２０の下面に取り付けられるようになっている。なお、凝縮器３２は水冷式であって、凝縮管３２Ａに導入されるガス冷媒と、冷却管３８を流通する冷却水との間で熱交換させることで、冷媒を凝縮するようになっている。図１ないし図３における符号３９Ａ，３９Ｂは、冷却管３８の入口と出口とを示している。
【００１０】
より詳細には、図２に示すように、ユニット台２０の上面における奥側の位置に圧縮機３１が、手前側に凝縮器３２がそれぞれ設置されるとともに、正面から見た右側縁に沿うようにしてドライヤ３３とキャピラリチューブ３４とが取り付けられる。一方、冷却器３５は、図１に示すように、ユニット台２０の下面の奥寄りの位置に、後下がりの斜め姿勢を採って取付板３５Ａを介して取り付けられている。
そして、ユニット台２０の上面側の冷凍ユニット３７と下面側の冷却器３５とが、ユニット台２０を上下に貫通した冷媒配管３６によって循環接続されるようになっている。
【００１１】
さてこの実施形態では、圧縮機３１の吐出側から引き出されて凝縮器３２に向かう吐出管４０が長く採られており、この吐出管４０が、図２及び図４に示すように、ユニット台２０の上面における周縁部の全周に沿って配管されている。この吐出管４０は、アルミニウム等の熱伝導性に優れた材質になるテープ４２、あるいは断面略半円形状のホルダで押さえて固定されている。
【００１２】
上記のように冷凍ユニット３７、冷却器３５等を取り付け、また吐出管４０を配管固定したユニット台２０は、下面の装着凹部２６にパッキン２５を装着したのち、開口部１８を塞ぐようにしてその上面に載置される。ユニット台２０は、その周縁部がパッキン２５を弾縮しつつ開口部１８の上面の口縁に載置されて固定され、これによりユニット台２０と上記したドレンパン２８との間に、外気とは断熱された冷却器室２９が構成される。
一方、ユニット台２０の下面に取り付けられた冷却器３５は、上記のように後下がりの姿勢を採って、ドレンパン２８から浮いた状態で冷却器室２９内に収容される。
なお、ドレンパン２８の上部側には、多数の通孔が開口された吸込部４５が設けられ、その内側に、モータにより駆動される庫内ファン４６が装備されるとともに、ドレンパン２８の下部側には、冷気の吹出部４７が形成されている。
【００１３】
本実施形態は上記のような構造であって、続いてその作用を説明する。
冷却運転時において、冷凍ユニット３７と庫内ファン４６とが駆動されると、図１の矢線に示すように、冷蔵室１２内の空気が吸込部４５から冷却器室２９内に吸引され、冷却器３５を通過する間に熱交換されて冷気が生成され、この冷気が吹出部４７から冷蔵室１２内に吹き出されるといったように循環されることで、冷蔵室１２内が冷却される。
この間、冷蔵室１２内の温度が検知され、検知温度が設定温度よりも低くなると、冷凍ユニット３７と庫内ファン４６とが停止され、一方検知温度が設定温度よりも高くなると、冷凍ユニット３７と庫内ファン４６とが再駆動されるといったことが繰り返され、冷蔵室１２内がほぼ設定温度に維持される。
【００１４】
ユニット台２０は、パッキン２５によって庫内とは断熱が図られているが、例えば、ユニット台２０の内装板２２や、開口部１８に嵌められた枠体１８Ａ等を介して、庫内の冷熱がユニット台２０の特に外装板２１の周面や上面の周縁部に伝熱し、冷却される可能性がある。
一方、冷凍ユニット３７が駆動されているときは、圧縮機３１から高温高圧のガス冷媒が吐出され、吐出管４０を通って凝縮器３２に向けて流通するが、この吐出管４０が、ユニット台２０（外装板２１）の上面における周縁部の全周に沿って押し付けられて配管されているから、吐出管４０内を流通する高温高圧のガス冷媒と、ユニット台２０の外装板２１との間で熱交換される。外装板２１はステンレス鋼板製であって熱良導性であるから、特に庫内冷気で冷却される傾向にある上面の周縁部から周面にわたって加熱され、その温度上昇が図られる。その結果、それらの部位への結露が防止される。
【００１５】
以上のように本実施形態によれば、庫内冷気の影響で冷却される傾向にあるユニット台２０の周縁部を、圧縮機３１の吐出管４０内を流通する高温高圧のガス冷媒と熱交換させることで加熱できるようにしたから、結露することが防止される。特に、水冷式の凝縮器３２が搭載されている場合は、空冷式の凝縮器と違い、凝縮器を冷却した後の排熱が当てられることもなくてユニット台２０の冷却の抑制が期待できないため、湿度の高低に拘わらず結露しやすかったのであるが、上記のようにユニット台２０の温度上昇が図られることで、湿度の高低に拘わらず結露の発生を防止することができる。
【００１６】
具体的な加熱構造としては、圧縮機３１の吐出管４０を延ばしてこれをユニット台２０に押し付けて配管しただけであるから、例えば加熱手段として別途コードヒータ等を備える場合と比べると、電気配線等も不要で、簡単かつ安価に対応することができる。
また、吐出管４０を固定するに当たり、熱伝導性に優れた材質からなるテープ４２やホルダで押さえるようにしたから、ユニット台２０のより広い領域にわたって熱交換を行うことができる。
【００１７】
冷凍回路３０側から見ると、ガス冷媒が凝縮器３２に向かう前においてユニット台２０と熱交換されて温度低下されることになるから、凝縮工程での負荷が低減され、省エネルギを図ることができる。
さらに、ユニット台２０に結露が生じ難くなることで、パッキン２５が吸水して劣化することが回避され、長期間にわたって断熱機能を発揮することができる。
【００１８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）空冷式の凝縮器が装備されている場合は、凝縮器等を冷却した後の排熱の一部がユニット台に吹き付けられるため、ユニット台の冷却が抑制されて比較的結露はし難いが、それでも梅雨時等の周囲雰囲気が高湿度のときには結露する可能性があるため、本発明は、このような空冷式の凝縮器が装備された冷却貯蔵庫に適用しても有効となる。
（２）例えば上記した空冷式の凝縮器を搭載したユニット台においては、凝縮器等を冷却した後の排熱が当たらない場所では温度上昇が見込めず、結露が生じる可能性が高い。このように、ユニット台において冷却状態に置かれやすく、したがって結露しやすい場所が予め判っているような場合には、圧縮機の吐出管をその場所に重点的に配管すると効率的である。
（３）また本発明は、本体の側壁に開口部を形成して、その開口部に冷凍ユニットを搭載したユニット台を装着した形式の冷却貯蔵庫にも同様に適用することが可能である。
【図面の簡単な説明】
【図１】本発明の一実施形態に係る冷蔵庫の縦断面図
【図２】その平面図
【図３】冷凍回路の回路図
【図４】図２のＸ−Ｘ線で切断した斜視図
【図５】従来例の部分縦断面図
【符号の説明】
１０…冷蔵庫本体（貯蔵庫本体）  １０Ａ…天井壁  １８…開口部  ２０…ユニット台  ２１…外装板  ２２…内装板  ２３…断熱材  ２５…パッキン  ２９…冷却器室  ３０…冷凍回路  ３１…圧縮機  ３２…凝縮器  ３５…冷却器  ３７…冷凍ユニット  ４０…吐出管（吐出側管路）  ４２…テープ
【図１】
2005030634.tif 000003
【図２】
2005030634.tif 000004
【図３】
2005030634.tif 000005
【図４】
2005030634.tif 000006
【図５】
2005030634.tif 000007